(57)【要約】【課題】制御が容易で表示素子間の継ぎ目の見栄えを向上できる安価な表示装置を提供する。【解決手段】表示装置11は、複数の表示素子12を互いに隣接して配置する。各表示素子12は、複数の画素PXを有する表示領域DA、および、この表示領域DAの周縁に位置する額縁領域NDAを備える。画素PXの通常画素PX1は、隣接する他の表示素子12側の額縁領域NDAに沿う部分を除く位置に所定のピッチで並べて配置される。画素PXの隣接画素PX2は、隣接する他の表示素子12側の額縁領域NDAに沿う部分に通常画素PX1のピッチよりも小さいピッチで並べて配置される。各表示素子12は、透光性を有し、少なくとも隣接画素PX2に対応する位置およびこれら隣接画素PX2に隣接する額縁領域NDAに対応する位置を覆って、これら隣接画素PX2の表示を額縁領域NDA側に拡大するレンズ部18を配置する。【選択図】図１
2014066745.tif 000002
【特許請求の範囲】
【請求項１】
複数の画素を有する表示領域、および、この表示領域の周縁に位置する非表示領域を備え、互いに隣接されて配置された複数の表示素子を具備し、
前記各表示素子の前記画素は、
隣接する他の前記表示素子側の前記非表示領域に沿う部分を除く位置に所定のピッチで並べて配置された第１の画素と、
隣接する他の前記表示素子側の前記非表示領域に沿う部分に前記第１の画素のピッチよりも小さいピッチで並べて配置された第２の画素とを備え、
前記各表示素子は、透光性を有し、少なくとも前記第２の画素に対応する位置およびこれら第２の画素に隣接する前記非表示領域に対応する位置を覆って配置され、これら第２の画素の表示を前記非表示領域側に拡大するレンズ部を備えている
ことを特徴とする表示装置。
【請求項２】
前記レンズ部は、前記第２の画素の表示を、前記第１の画素に表示と略同一の大きさとなるように前記非表示領域側に拡大する
ことを特徴とする請求項１記載の表示装置。
【発明の詳細な説明】
【技術分野】
【０００１】
本発明の実施形態は、互いに隣接されて配置された複数の表示素子を備える表示装置に関する。
【背景技術】
【０００２】
近年、大画面のディスプレイ(表示装置)の需要の増加に伴い、液晶パネルなどの表示素子の大型化が求められることがある。このような場合、単一の表示素子によって対応しようとすると、機械的な強度が低下したり、電極の抵抗の増大により表示むらが発生したりする。そのため、複数の表示素子をタイル状に並べて隣接させて一つのディスプレイとして使用することで、映像の大型化や、ディスプレイ自体を曲げるなどの物理的な変形などの要求に対応可能となる。
【先行技術文献】
【特許文献】
【０００３】
【特許文献１】特開２００７−１９２９７７号公報
【発明の概要】
【発明が解決しようとする課題】
【０００４】
一般に、表示素子は、画素を並べた表示領域の周囲に非表示領域、すなわち額縁領域が形成されており、複数の表示素子を隣接させたときに、この額縁領域が、表示される画像の継ぎ目となるため、見栄えが低下する。したがって、この額縁領域を狭くする設計が採用されているものの、この額縁領域付近には、映像信号を画素に伝達するための配線パターンなどが形成されており、この額縁領域を完全になくしてしまうことは容易でない。
【０００５】
そこで、上記特許文献１記載の構成では、表示素子の額縁領域のうち、他の表示素子と隣接する部分に面光源となる有機ＥＬパネルを配置することで、表示素子間の継ぎ目をなくすようにしている。
【０００６】
しかしながら、このような構成の場合、別途の有機ＥＬパネルが必要になり、構造や制御が複雑化し、安価に製造することが容易でない。
【０００７】
本発明が解決しようとする課題は、制御が容易で表示素子間の継ぎ目の見栄えを向上できる安価な表示装置を提供することである。
【課題を解決するための手段】
【０００８】
実施形態の表示装置は、複数の表示素子を互いに隣接して配置する。各表示素子は、複数の画素を有する表示領域、および、この表示領域の周縁に位置する非表示領域を備える。各表示素子の画素は、第１の画素と、第２の画素とを備える。第１の画素は、隣接する他の表示素子側の非表示領域に沿う部分を除く位置に所定のピッチで並べて配置される。第２の画素は、隣接する他の表示素子側の非表示領域に沿う部分に第１の画素のピッチよりも小さいピッチで並べて配置される。各表示素子は、透光性を有し、少なくとも第２の画素に対応する位置およびこれら第２の画素に隣接する非表示領域に対応する位置を覆って、これら第２の画素の表示を非表示領域側に拡大するレンズ部を配置する。
【図面の簡単な説明】
【０００９】
【図１】一実施形態の表示装置を模式的に示す断面図である。
【図２】同上表示装置の表示素子の一部を示す斜視図である。
【図３】同上表示装置を示す平面図である。
【発明を実施するための形態】
【００１０】
以下、一実施形態の構成を図１ないし図３を参照して説明する。
【００１１】
図１ないし図３において、11は表示装置であり、この表示装置11は、タイリングディスプレイなどとも呼ばれ、例えば四角形状に形成された平面状の複数の表示素子12をタイル状(格子状)に隣接させて並べることで、全体として１つの画像Ｇを表示可能となっている。すなわち、この表示装置11は、複数の表示素子12によって画像Ｇを分割表示するようになっている。
【００１２】
各表示素子12は、例えば透過型のアクティブマトリクス型液晶パネルであり、図示しないが、一対の透明基板を対向配置し、これら透明基板間に液晶層を介在させることで、この液晶層が位置する部分に例えば四角形状などの表示領域DAが形成されているとともに、この表示領域DAの周縁、すなわち液晶層の周囲を囲み透明基板を貼り合わせるシール部分、換言すれば液晶層が位置しない部分に例えば四角形枠状などの非表示領域である額縁領域NDAが形成されている。また、表示領域DAには、四角形状などの複数の画素PXが例えばマトリクス状に配置されており、これら画素PXが、画像信号に対応して図示しない光源(面状光源)であるバックライトからの光の透過量(遮断量)を図示しない薄膜トランジスタなどのスイッチング素子によって切り換えるスイッチング機能を有していることにより、画像Ｇを表示領域DAに表示可能となっている。本実施形態では、各画素PXは、例えばカラーフィルタ層などによって着色された赤(Ｒ)、緑(Ｇ)、青(Ｂ)の三色(三原色)で１組の画素を構成する副画素(サブピクセル)であり、これら三色を組み合わせることでカラー表示が可能な表示素子12を構成している。なお、表示素子12は、反射型や半透過型の液晶パネルなどでもよい。
【００１３】
また、画素PXには、第１の画素としての通常画素PX1と、第２の画素としての隣接画素PX2とが備えられている。隣接画素PX2は、表示領域DAのうち、隣接する他の表示素子12側に沿って位置する額縁領域NDAの(一および他の)辺部NDA1，NDA2に沿う部分にそれぞれ所定幅W1，W2に亘って配置されており、通常画素PX1は、表示領域DAのうち、それ以外の部分、すなわち隣接する他の表示素子12側に位置する額縁領域NDAの辺部NDA1，NDA2に沿う部分を除く部分に配置されている。
【００１４】
また、通常画素PX1は、所定のピッチP1，P2で表示領域DAの一の方向である左右方向(図２中の矢印Ｘ方向)および一の方向と交差(直交)する他の方向である上下方向(図２中の矢印Ｙ方向)に並べて配置されている。これら通常画素PX1は、例えば左右方向(図２中の矢印Ｘ方向)よりも上下方向(図２中の矢印Ｙ方向)の寸法が大きい、すなわち縦長の長方形状に形成されている。
【００１５】
一方、隣接画素PX2は、通常画素PX1よりも小さく形成されており、これら通常画素PX1のピッチP1，P2よりも小さいピッチP3，P4で表示領域DAの左右方向(図２中の矢印Ｘ方向)および上下方向(図２中の矢印Ｙ方向)に並べて配置されている。これら隣接画素PX2は、例えば通常画素PX1の左右方向(矢印Ｘ方向)に隣接する(第１の)隣接画素PX2aと、通常画素PX1の上下方向(矢印Ｙ方向)に隣接する(第２の)隣接画素PX2bと、隣接画素PX2aの上下方向(矢印Ｙ方向)でかつ隣接画素PX2bの左右方向(矢印Ｘ方向)に隣接する(第３の)隣接画素PX2cとを有している。隣接画素PX2aは、通常画素PX1よりも左右方向(矢印Ｘ方向)に狭い、例えば１／３程度の幅寸法の長方形状に形成されている。また、隣接画素PX2bは、通常画素PX1よりも上下方向(矢印Ｙ方向)に狭い、例えば１／３程度の寸法の四角形状に形成されている。さらに、隣接画素PX2cは、通常画素PX1よりも左右方向(矢印Ｘ方向)および上下方向(矢印Ｙ方向)にそれぞれ狭い、例えばそれぞれ１／３程度の寸法の四角形状に形成されている。そして、隣接画素PX2a，PX2cは、左右方向(矢印Ｘ方向)に例えば３組(９つ)で額縁領域NDAの辺部NDA1に沿って(平行に)所定幅W1に亘って配置されているとともに、隣接画素PX2b，PX2cは、上下方向(矢印Ｙ方向)に例えば３つで額縁領域NDAの辺部NDA2に沿って(平行に)所定幅W2に亘って配置されている。
【００１６】
そして、各表示素子12には、これら表示素子12の表示側全体を覆って、透光性を有する透過部材15が取り付けられている。この透過部材15は、例えばアクリル樹脂、あるいはガラスなどの、透光性を有する部材により板状に形成されており、表示領域DAの通常画素PX1に対応する位置を覆う光透過部17と、隣接画素PX2に対応する位置およびこれら隣接画素PX2に隣接する額縁領域NDA(辺部NDA1，NDA2)に対応する位置を覆うレンズ部18とが一体に形成されている。
【００１７】
光透過部17は、一定の厚さ寸法を有しており、通常画素PX1にて表示された画像を透過させるように形成されている。
【００１８】
また、レンズ部18は、通常画素PX1と隣接する隣接画素PX2に対応する位置から、表示素子12の外縁側に接近するほど厚さ寸法が小さくなる曲面(球面、あるいは非球面)状に形成されており、隣接画素PX2にて表示された画像を額縁領域NDA(辺部NDA1，NDA2)側へと拡大して、通常画素PX1と略同一の大きさ(ピッチ)で隣接画素PX2の位置から額縁領域NDA(辺部NDA1，NDA2)に亘って画像を表示させるように、屈折率および曲面(曲率)が加工されている。
【００１９】
また、額縁領域NDAには、画像信号に対応した信号を生成する図示しないドライバにより生成された信号を各画素PXへと伝達するための図示しない配線パターンなどが形成されている。これら配線パターンは、表示領域DAにて各画素PXの間に沿って格子状に形成された走査線および信号線と電気的に接続されている。
【００２０】
そして、表示装置11では、画像信号が表示素子12毎に分割され、これら分割された画像信号に対応した信号がドライバで生成され、各表示素子12の配線パターンから走査線および信号線を介して各画素PXに供給され、この信号に対応した画像を各画素PXで表示する。
【００２１】
表示装置11を観測する観測者Ｈの視線のうち、通常画素PX1に向けられる視線E1は、透過部材15の光透過部17を介して略直線状に各通常画素PX1へと向けられ、これら通常画素PX1で表示する画像が視認される。また、観測者Ｈの視線のうち、額縁領域NDAの隣接する他の表示素子12に沿う部分である辺部NDA1，NDA2近傍、換言すれば表示素子12，12の継ぎ目近傍に向けられる視線E2は、レンズ部18の表面に入射する角度に対応して、隣接画素PX2側へと屈折されることとなる。このため、実際には画素PXが位置していない額縁領域NDAの辺部NDA1，NDA2に向けられている視線であるにも拘らず、レンズ部18により拡大された隣接画素PX2にて表示される画像が視認されるため、額縁領域NDAの辺部NDA1，NDA2にも他の領域(通常画素PX1で表示する領域)と同等に画像が表示されることと等価となり、あたかも額縁領域NDAの辺部NDA1，NDA2に画素PXが位置しているかのように観測者Ｈに認識され、表示素子12，12の継ぎ目が目立ちにくくなる。
【００２２】
以上説明した一実施形態によれば、隣接する他の表示素子12側の額縁領域NDA(辺部NDA1，NDA2)、すなわち表示素子12，12間の継ぎ目に沿う部分に、通常画素PX1のピッチP1，P2よりも小さいピッチP3，P4で並べて隣接画素PX2を配置するとともに、少なくともこれら隣接画素PX2に対応する位置およびこれら隣接画素PX2に隣接する額縁領域NDA(辺部NDA1，NDA2)に対応する位置を覆って、これら隣接画素PX2の表示を額縁領域NDA(辺部NDA1，NDA2)側に拡大するレンズ部18を配置することにより、別途の表示素子などを追加で用いたり、画素PXの特殊な制御などをしたりすることなく、それぞれの表示素子12を通常通り制御するだけで表示素子12，12間の継ぎ目を容易に目立ちにくくできる。したがって、制御が容易で表示素子12，12間の継ぎ目の見栄えを向上できる安価な表示装置11を提供できる。
【００２３】
また、レンズ部18が、隣接画素PX2の表示を、通常画素PX1の表示と略同一の大きさとなるように額縁領域NDA側に拡大することにより、レンズ部18により拡大されて額縁領域NDAの辺部NDA1，NDA2で視認される隣接画素PX2の表示が通常画素PX1の表示と同様となり、表示素子12，12間の継ぎ目をより目立ちにくくできる。
【００２４】
この結果、機械的な強度の低下や、電極の抵抗の増大により表示むらなどを発生させることなく、充分な強度で、かつ、表示むらの少ない表示装置11を提供できる。
【００２５】
また、表示装置11の表示をより高精細化する場合でも、表示素子12毎の画素PXの数は単一の表示素子のみで表示装置を構成する場合の画素数の１／４で済み、欠陥画素などの生成に起因する歩留まりを向上できる。
【００２６】
なお、上記一実施形態において、各画素PXは、白黒表示するものでもよい。
【００２７】
また、隣接画素PX2を配置する所定幅W1，W2は、表示素子12(表示装置11)の大きさなどに対応して適宜設定できる。
【００２８】
さらに、各表示素子12およびその表示領域DAの形状や大きさは、必ずしも全ての表示素子12で同一でなくてもよく、所望する表示装置11の形状や大きさに対応して適宜設定できる。
【００２９】
そして、表示素子12は、例えば映像信号に対応して各画素PXが自発光する有機ＥＬ表示素子などとしてもよい。
【００３０】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３１】
11    表示装置
12    表示素子
18    レンズ部
DA    表示領域
NDA   非表示領域である額縁領域
PX    画素
PX1   第１の画素としての通常画素
PX2   第２の画素としての隣接画素
【図１】
2014066745.tif 000003
【図２】
2014066745.tif 000004
【図３】
2014066745.tif 000005